(57)【要約】  光ディスクの領域割り当て方法、データ記録及び／または再生装置、及び光ディスクを提供する。複数の記録層を備えた光ディスクにおいて、各記録層は、内周から外周方向にユーザデータを記録するためのデータ領域、データ領域でないことを表すための所定パターンのデータが記録された連結領域及び残りの領域を備え、各記録層のデータ領域のサイズ及び位置は、記録するデータ量によって決定され、各記録層のデータ領域の次に内周から外周方向に連結領域及び残りの領域が割り当てられたことを特徴とする光ディスクである。これにより、複数の記録層を備えた光ディスクへのデータの記録時、記録時間が短縮され、ユーザデータ外の他の情報を記録するための専用領域を光ディスクの外周領域にさらに割り当てるか、またはその専用領域のサイズを増大させるので、媒体使用の効率性を向上させる。
2008503024.tif 000002
【特許請求の範囲】
【請求項１】
複数の記録層を備えた光ディスクにおいて、
前記各記録層は、ユーザデータを記録するためのユーザデータ領域、ユーザデータが記録されていないことを表すために所定パターンのデータが記録された連結領域及び残りの領域を備え、
前記各記録層のユーザデータ領域のサイズ及び位置は、記録するユーザデータの量によって決定され、
前記各記録層のユーザデータ領域の次に前記光ディスクの内周から外周方向に前記連結領域及び前記残りの領域が割り当てられたことを特徴とする光ディスク。
【請求項２】
前記残りの領域は、所定目的のための専用領域を備えることを特徴とする請求項１に記載の光ディスク。
【請求項３】
前記専用領域は、最適の記録条件を得るために使われるテスト領域であることを特徴とする請求項２に記載の光ディスク。
【請求項４】
前記専用領域の開始位置及び終端位置の少なくとも一つは、可変的であることを特徴とする請求項２に記載の光ディスク。
【請求項５】
前記専用領域が割り当てられたことを表す情報が所定領域に記録されたことを特徴とする請求項２に記載の光ディスク。
【請求項６】
前記専用領域は、前記光ディスクの内周から外周方向に使われることを特徴とする請求項１に記載の光ディスク。
【請求項７】
データ記録及び／または再生装置において、
複数の記録層を備えた光ディスクに／からデータを書き込み／読み取りする書き込み／読み取り部と、
記録するユーザデータの量によって前記各記録層のユーザデータ領域のサイズ及び位置を決定した後、前記各記録層のユーザデータ領域の次に内周から外周方向に連結領域及び残りの領域を割り当てる制御部とを備え、
前記連結領域は、ユーザデータが記録されていないことを表すために所定パターンのデータを記録するための領域であることを特徴とする装置。
【請求項８】
前記制御部は、前記残りの領域に所定目的のための専用領域を割り当てることを特徴とする請求項７に記載の装置。
【請求項９】
前記制御部は、前記専用領域の位置情報を前記光ディスクの所定領域に記録するように前記書き込み／読み取り部を制御することを特徴とする請求項８に記載の装置。
【請求項１０】
前記専用領域は、最適の記録条件を得るために使われるテスト領域であることを特徴とする請求項８に記載の装置。
【請求項１１】
前記制御部は、前記光ディスクの内周から外周方向に前記専用領域を使用するように前記書き込み／読み取り部を制御することを特徴とする請求項８に記載の装置。
【請求項１２】
前記制御部は、前記専用領域の終端位置を再決定した後、前記再決定された前記専用領域の位置情報を前記光ディスクの所定領域に記録するように前記書き込み／読み取り部を制御することを特徴とする請求項８に記載の装置。
【請求項１３】
複数の記録層を備えた光ディスクの領域割り当て方法において、
記録するユーザデータの量によって前記各記録層のユーザデータ領域のサイズ及び位置を決定するステップと、
前記各記録層のユーザデータ領域の次に前記光ディスクの内周から外周方向に連結領域及び残りの領域を割り当てるステップと、を含み、
前記連結領域は、ユーザデータが記録されていないことを表すために所定パターンのデータを記録するための領域であることを特徴とする方法。
【請求項１４】
前記残りの領域に所定目的のための専用領域を割り当てるステップを含むことを特徴とする請求項１３に記載の方法。
【請求項１５】
前記専用領域の位置情報を前記光ディスクの所定領域に記録するステップを含むことを特徴とする請求項１４に記載の方法。
【請求項１６】
前記専用領域は、最適の記録条件を得るために使われるテスト領域であることを特徴とする請求項１４に記載の方法。
【請求項１７】
前記専用領域の終端位置を再決定した後、前記再決定された前記専用領域の位置情報を前記光ディスクの所定領域に記録するステップを含むことを特徴とする請求項１４に記載の方法。
【請求項１８】
コンピュータで読み取り可能な記録媒体において、
記録するユーザデータの量によって前記各記録層のユーザデータ領域のサイズ及び位置を決定するステップと、
前記各記録層のユーザデータ領域の次に前記光ディスクの内周から外周方向に連結領域及び残りの領域を割り当てるステップとを含み、
前記連結領域は、ユーザデータが記録されていないことを表す所定パターンのデータを記録するための領域であることを特徴とする、複数の記録層を備えた光ディスクの使用のための領域割り当て方法を実現させるためのプログラムを記録した記録媒体。
【請求項１９】
同じ量のユーザデータが各ユーザデータ領域に記録されることを特徴とする請求項１に記載の光ディスク。
【請求項２０】
前記制御部は、第１記録層のユーザデータ領域のサイズを第２記録層のユーザデータ領域のサイズと同一に割り当てることを特徴とする請求項７に記載の装置。
【請求項２１】
第１記録層のユーザデータ領域のサイズを第２記録層のユーザデータ領域のサイズと同一に割り当てるステップをさらに含むことを特徴とする請求項１３に記載の方法。
【請求項２２】
前記ユーザデータ領域のサイズを決定するステップは、
第１記録層のユーザデータ領域のサイズを第２記録層のユーザデータ領域のサイズと同一に割り当てるステップを含むことを特徴とする請求項１８に記載のコンピュータで読み取り可能な記録媒体。
【発明の詳細な説明】
【技術分野】
【０００１】
本発明は、光ディスクに係り、特に光ディスクの領域割り当て方法、データ記録及び／または再生装置、及び光ディスクに関する。
【背景技術】
【０００２】
一般的に、光ディスクは、情報記録容量によってＣＤ（コンパクトディスク）及びＤＶＤ（デジタル  バーサタイル  ディスク）に区分される。そして、情報の記録、消去及び再生が可能な光ディスクとして６５０ＭＢ  ＣＤ−Ｒ、ＣＤ−ＲＷ、４．７ＧＢ  ＤＶＤ＋Ｒ／ＲＷ、ＤＶＤ−ＲＡＭ（ランダム  アクセス  メモリ）、ＤＶＤ−Ｒ／ＲＷなどがあり、再生専用のディスクとして６５０ＭＢ  ＣＤ、４．７ＧＢ  ＤＶＤ−ＲＯＭ（Ｒｅａｄ  Ｏｎｌｙ  Ｍｅｍｏｒｙ）などがある。さらに、記録容量が１５ＧＢ以上である次世代のＤＶＤも開発中である。
【０００３】
従来の記録可能なＤＶＤの場合、容量が４．７ＧＢに該当する単層のディスクしかない。しかし、ＤＶＤ−ＲＯＭの場合には、既に容量が８．５ＧＢに該当する二層のディスクがあり、かかる容量のディスクをバックアップするためには、同じ容量の記録可能なＤＶＤも必要になる。しかし、かかる場合、基本的に記録時間が約２倍となって、ユーザの立場では短所となりうる。もちろん、記録速度を速める方法もあるが、これは、ディスク技術の向上が先行されねばならないため、すぐに市場に導入するためには、既存の速度でも効果的に記録できる方法が必要である。
【０００４】
図１Ａは、従来技術による再記録可能な光ディスクの構造の一例を示し、図１Ｂは、従来技術による再生専用の光ディスクの構造の一例を示す。図１Ａに示した再記録可能な光ディスクのリードアウト領域の構造は、リードイン領域の構造とほぼ同一である。特に、図１Ａに示した再記録可能な光ディスクのリードイン領域は、最適の記録パワーを決定するために使われるテスト領域を備える。
【０００５】
図２Ａ及び図２Ｂは、従来技術によるディスク−アト−ワンスモードでデータが記録された二重記録層の光ディスクを示す図である。ディスク−アト−ワンスモードとは、ディスクに１回のみデータを記録し、データが記録されていない空データ領域が残っても、そのディスクに追加のデータ記録が不可能に空いているデータ領域に所定パターンのデータを記録する記録モードをいう。一般的に、ディスク−アト−ワンスモードは、追記型のディスクに大容量データのバックアップのために使われる。
【０００６】
図２Ａに示した光ディスク１０は、データの記録方向がＯＴＰ（オポジット  トラック  パス）である場合を示し、図２Ｂに示した光ディスク２０は、データの記録方向がＰＴＰ（パラレル  トラック  パス）である場合を示す。
【０００７】
図２Ａに示すように、従来技術によって、ＯＴＰ方向にディスク−アト−ワンスモードで二重記録層の光ディスク１０へのデータの記録時、データが先に再生される記録層Ｌ１のデータ領域１２にユーザデータが記録された後、残りのユーザデータは記録層Ｌ２のデータ領域１５に記録される。データ領域の外周側境界１９より外側の領域は、データ領域でないことを表すための所定パターンのデータでいずれも満たされる。所定パターンのデータは、例えばリードアウト属性を有するデータである。このように、データ領域でないことを表すための所定パターンのデータで満たされる領域をリードイン領域１１及びリードアウト領域１７とは区別して、連結領域と通称する。
【０００８】
記録層Ｌ２のデータ領域のうち、ユーザデータが記録されていない空領域１６は、データ領域でないことを表すための所定パターンのデータでいずれも満たされて連結領域となる。
【０００９】
図２Ｂに示した光ディスク２０は、リードイン領域２１、記録層Ｌ１のデータ領域２２、リードアウト領域２４、記録層Ｌ２のデータ領域２５及び各記録層の連結領域２３，２６を備える。
【００１０】
一方、図２Ａ及び図２Ｂに示した記録方法は、再生専用のディスク及び再記録用のディスクである場合に同一に適用できる。
【００１１】
前述した従来技術によるディスク−アト−ワンスモードで光ディスクにデータを記録する方法によれば、ユーザデータが記録されていない領域にリードアウト属性を有するパターンデータを記録するために、さらにデータ記録のための時間がかかる。さらに、従来技術によれば、データ領域の外側領域を全く使用していないので、光ディスクを効率的に使用できない。
【発明の開示】
【発明が解決しようとする課題】
【００１２】
本発明が解決しようとする課題は、記録しようとするデータの容量があらかじめ分かる場合、データの記録にかかる時間を短縮させ、光ディスクをさらに効率的に使用可能な光ディスクの領域割り当て方法、データ記録及び／または再生装置、及び光ディスクを提供することである。
【課題を解決するための手段】
【００１３】
前記課題を解決するための本発明の一実施形態による光ディスクは、複数の記録層を備えた光ディスクにおいて、前記各記録層は、内周から外周方向にユーザデータを記録するためのデータ領域、前記データ領域でないことを表すための所定パターンのデータが記録された連結領域及び残りの領域を備え、前記各記録層のデータ領域のサイズ及び位置は、記録するデータ量によって決定され、前記各記録層のデータ領域の次に内周から外周方向に連結領域及び残りの領域が割り当てられたことを特徴とする。
【００１４】
前記課題を解決するための本発明の一実施形態によるデータ記録及び／または再生装置は、複数の記録層を備えた光ディスクに／からデータを書き込み／読み取りする書き込み／読み取り部と、記録するデータ量によって前記各記録層のデータ領域のサイズ及び位置を決定した後、前記各記録層のデータ領域の次に内周から外周方向に連結領域及び残りの領域を割り当てる制御部と、を備え、前記連結領域は、データ領域でないことを表す所定パターンのデータを記録するための領域であることを特徴とする。
【００１５】
前記課題を解決するための本発明の一実施形態による光ディスクの領域割り当て方法は、複数の記録層を備えた光ディスクの領域割り当て方法において、記録するデータ量によって前記各記録層のデータ領域のサイズ及び位置を決定するステップと、前記各記録層のデータ領域の次に内周から外周方向に連結領域及び残りの領域を割り当てるステップとを含み、前記連結領域は、データ領域でないことを表す所定パターンのデータを記録するための領域であることを特徴とする。
【発明の効果】
【００１６】
本発明によれば、複数の記録層を備えた光ディスクへのデータの記録時、記録時間が短縮され、ユーザデータ外の他の情報を記録するための専用領域を光ディスクの外周領域にさらに割り当てるか、またはその専用領域のサイズを増加させるので、媒体使用の効率性を向上させる。
【発明を実施するための最良の形態】
【００１７】
以下、添付された図面を参照して、本発明による実施形態を詳細に説明する。
【００１８】
本発明による実施形態では、ディスク−アト−ワンスモードで複数の記録層を備えた光ディスクにデータを記録する場合を例として説明する。本発明は、複数の記録層を備えた光ディスクにディスク−アト−ワンスモードでデータの記録時、記録するユーザデータの容量が光ディスクに記録可能な全体の記録容量より少なく、記録せねばならないユーザデータの容量があらかじめ分かる場合、複数の記録層それぞれに同じユーザデータの容量が記録されるように各記録層のユーザデータ領域のサイズを決定する。さらに、各記録層のユーザデータ領域のサイズが決定されれば、各記録層のユーザデータ領域の位置が決定される。各記録層のユーザデータ領域の位置が決定されれば、各記録層の連結領域及びその残りの領域の位置及び／またはサイズが決定される。したがって、本発明によれば、ユーザデータが記録されていない全体のデータ領域にリードアウト属性を有するパターンデータを記録する必要がないので、従来に比べてデータの記録時間が短縮される。
【００１９】
前記連結領域は、データ領域でないことを表す所定パターンのデータを記録するための領域である。前記所定パターンのデータは、例えばリードアウト属性を有するデータである。
【００２０】
さらに、本発明によれば、データ領域及び連結領域でない残りの外周領域に所定目的のための専用領域を割り当てる。前記専用領域は、データ記録及び／または再生装置が特殊な目的のために使用する領域であって、例えば最適パワー制御（オプティマム  パワー  コントロール：ＯＰＣ）のためのテスト領域が割り当てられうる。専用領域にはテスト領域外の他の領域が割り当てられてもよく、保留領域として指定してもよい。ＯＰＣとは、再記録可能な光ディスクにユーザデータを記録する前に、事前テストを通じてデータ記録及び／または再生装置で最適記録パワーなどを決定することをいう。
【００２１】
図３Ａ及び図３Ｂは、本発明の一実施形態による光ディスクの構造を示す図であって、ディスク−アト−ワンスモードでデータが記録された二重記録層の光ディスクを示す図である。図３Ａに示した光ディスク１００は、データの記録方向がＯＴＰである場合を示し、図３Ｂに示した光ディスク２００は、データの記録方向がＰＴＰである場合を示す。
【００２２】
図３Ａに示すように、ＯＴＰ方向にディスク−アト−ワンスモードで二重記録層のディスク１００へのデータの記録時、記録せねばならないユーザデータの容量をデータ記録及び／または再生装置が認識でき、記録するユーザデータの容量が光ディスク１００に記録可能な全体の記録容量より少ない場合、記録層Ｌ１，Ｌ２それぞれに同じユーザデータの容量が記録されるように各記録層のユーザデータ領域１１３，１２３のサイズを決定する。各記録層のユーザデータ領域１１３，１２３のサイズが決定されるにつれて、各ユーザデータ領域１１３，１２３の内周側境界は決まっているので、外周側境界が自動的に決定される。
【００２３】
各記録層のユーザデータ領域１１３，１２３の位置が決定されれば、各記録層の外周方向に連結領域１１５，１２１及び残りの領域１１７，１１９のサイズ及び／または位置が決定される。連結領域１１５，１２１及び残りの領域１１７，１１９のサイズ及び／または位置は、多様な方式で決定されうる。例えば、連結領域１１５，１２１または残りの領域１１７，１１９のうち少なくとも一つの領域のサイズが既定されているならば、連結領域１１５，１２１及び残りの領域１１７，１１９のサイズ及び／または位置はいずれも決定されうる。
【００２４】
図３Ａに示した光ディスク１００の残りの領域は、所定目的のための専用領域として使われる。そして、以下の実施形態において、専用領域は、ＯＰＣのためのテスト領域を例として挙げる。しかし、専用領域がテスト領域にのみ限定されないことはいうまでもない。図３Ａに示した光ディスク１００において、１１１は、リードイン領域を表し、１２５は、リードアウト領域を表し、１５０は、元来のデータ領域の外周側境界を表す。
【００２５】
図３Ｂに示した光ディスク２００は、データの記録方向がＰＴＰという点でのみ、図３Ａに示した光ディスク１００と異なるだけである。
【００２６】
図３Ａ及び図３Ｂに示した実施形態の場合、各記録層のユーザデータ領域のサイズは、記録するユーザデータの量によって減少し、各記録層のユーザデータ領域のサイズの減少に比例して、各記録層の外周領域に割り当てられたテスト領域１１７，１１９のサイズは増大した。また、ユーザデータが記録されていないデータ領域を所定パターンのデータで満たす必要がないので、従来に比べてデータ記録時間は短縮された。また、連結領域の外側にテスト領域のような専用領域を割り当てることによって、光ディスクをさらに効率的に使用できる。
【００２７】
図４は、本発明の他の実施形態による光ディスク３００の構造を示す図である。図４に示した光ディスク３００には、ディスク−アト−ワンスモードでデータが記録され、ＯＴＰ方向にデータが記録された。
【００２８】
図４に示した光ディスク３００は、リードイン領域３１１、記録層Ｌ１のデータ領域３１３、記録層Ｌ１の連結領域３１５、記録層Ｌ１のテスト領域３１７、記録層Ｌ１の未記録領域３１９、記録層Ｌ２の未記録領域３２１、記録層Ｌ２のテスト領域３２３、記録層Ｌ２の連結領域３２５、記録層Ｌ２のデータ領域３２７及びリードアウト領域３３１を備える。３５０は、元来のデータ領域の外周側境界を表す。
【００２９】
図４に示した光ディスク３００は、図３Ａに示した光ディスク１００と異なり、記録層Ｌ１，Ｌ２の最外周にいかなるデータも記録しない未記録領域３１９，３２１を割り当てるという点で差がある。
【００３０】
さらに、図４に示した光ディスク３００に割り当てられたテスト領域３１７，３２３の使用方向が内周から外周方向である場合、テスト領域３１７，３２３の外周側境界は、データ記録及び／または再生装置により再決定されうる。すなわち、テスト領域３１７，３２３の拡張が必要である場合、ホストまたはユーザの選択によって、データ記録及び／または再生装置によりテスト領域の終端位置が再決定されうる。このとき、再決定されたテスト領域の位置情報は、光ディスク３００の所定領域、例えばリードイン領域３１１に記録されねばならない。
【００３１】
図４に示した光ディスク３００は、データの記録方向がＯＴＰである場合を例として挙げたが、ＰＴＰである場合にも同一に適用されうる。
【００３２】
図５は、本発明のさらに他の実施形態による光ディスク４００の構造を示す図である。図５に示した光ディスク４００には、ディスク−アト−ワンスモードでデータが記録され、ＯＴＰ方向にデータが記録された。
【００３３】
図５に示した光ディスク４００は、リードイン領域４１１、記録層Ｌ１のデータ領域４１３、記録層Ｌ１の連結領域４１５、記録層Ｌ１の保留領域４１７、記録層Ｌ１のテスト領域４１９、記録層Ｌ１の未記録領域４２１、記録層Ｌ２の未記録領域４２３、記録層Ｌ２のテスト領域４２５、記録層Ｌ２の保留領域４２７、記録層Ｌ２の連結領域４２９、記録層Ｌ２のデータ領域４３１及びリードアウト領域４３３を備える。４５０は、元来のデータ領域の外周側境界を表す。
【００３４】
図５に示した光ディスク４００は、図４に示した光ディスク１００と異なり、記録層Ｌ１の保留領域４１７及び記録層Ｌ２の保留領域４２７が割り当てられるという点で差がある。保留領域４１７，４２７は、将来に使用するために使用が保留された領域である。しかし、保留領域でない所定目的の領域を割り当てることもできる。
【００３５】
本実施形態において、記録層Ｌ１のテスト領域４１９及び記録層Ｌ２のテスト領域４２５の位置は固定される。したがって、記録層Ｌ１のテスト領域４１９及び記録層Ｌ２のテスト領域４２５の位置情報を光ディスク４００に記録する必要はない。しかし、記録層Ｌ１のテスト領域４１９及び記録層Ｌ２のテスト領域４２５の位置がデータ記録及び／または再生装置またはホストにより決定されるならば、記録層Ｌ１のテスト領域４１９及び記録層Ｌ２のテスト領域４２５の位置情報は、光ディスク４００に記録されねばならない。
【００３６】
さらに、図５に示した光ディスク４００に割り当てられたテスト領域４１９，４２５の使用方向が内周から外周方向である場合、テスト領域４１９，４２５の外周側境界は、データ記録及び／または再生装置により再決定されうる。すなわち、テスト領域４１９，４２５の拡張が必要である場合、ホストまたはユーザの選択によって、データ記録及び／または再生装置によりテスト領域の終端位置が再決定されうる。このとき、再決定されたテスト領域の位置情報は、光ディスク４００の所定領域、例えばリードイン領域４１１に記録されねばならない。
【００３７】
図５に示した光ディスク４００は、データの記録方向がＯＴＰである場合を例として挙げたが、ＰＴＰである場合にも同一に適用されうる。
【００３８】
以上、二重記録層の光ディスクの場合を例として挙げたが、本発明は、これに限定されず、記録層が二つ以上である光ディスクの場合にも同一に適用できる。
【００３９】
図６Ａ及び図６Ｂは、本発明のさらに他の実施形態による四重記録層を備えた光ディスクの構造を示す図である。図６Ａは、図３Ａを参照して説明したデータの記録方法及び領域割り当て方法によってデータが記録された四重記録層を備えた光ディスク５００の構造を示す図である。図６Ｂは、図３Ｂを参照して説明したデータの記録方法及び領域割り当て方法によってデータが記録された四重記録層を備えた光ディスク６００の構造を示す図である。
【００４０】
図４及び図５を参照して説明したデータの記録方法及び領域割り当て方法も、少なくとも二つ以上の記録層を備えた光ディスクに適用できることはいうまでもない。
【００４１】
前述した本発明の実施形態による光ディスクに割り当てられたテスト領域は、どの記録層に位置したかに関係なく内周から外周方向に使用することが望ましい。その理由としては、通常、ディスクの外周側の記録特性が不良であるためである。また、ユーザデータ領域と近い領域が記録特性面で差が少ないためである。
【００４２】
一方、本発明による専用領域は、前述したＯＰＣのためのテスト領域だけでなく、データ記録及び／または再生装置でユーザデータを記録する前に行う記録と関連した情報を記録するための領域として利用されることもある。例えば、どのデータ記録及び／または再生装置により、いつ記録されたかが分かる情報なども専用領域に記録されうる。
【００４３】
図７は、本発明の一実施形態によるデータ記録及び／または再生装置のブロック図である。図７に示すように、本実施形態による装置は、書き込み／読み取り部１、制御部２及びメモリ３を備える。光ディスク１０は、前述したような構造を有する本発明の実施形態による光ディスクである。
【００４４】
書き込み／読み取り部１は、制御部２の制御によって、光ディスク１０に／からデータを書き込み／読み取りする。メモリ３には、制御部２の制御によって、光ディスク１０に記録するユーザデータ、制御部２により生成された各種の制御情報及び光ディスク１０から読み取ったデータなどが一時保存される。
【００４５】
制御部２は、本発明によって、光ディスク１０の各領域のサイズ及び／または位置を決定した後に割り当てる。
【００４６】
図７に示した本発明の一実施形態によるデータ記録及び／または再生装置の構造に基づいて、本発明による領域割り当て方法を説明する。
【００４７】
図８は、本発明の一実施形態による光ディスクの領域割り当て方法のフローチャートである。本発明の一実施形態によるデータ記録及び／または再生装置に光ディスクがローディングされた後（Ｓ８１０）、データ記録及び／または再生装置は、ホスト（図示せず）からデータ記録命令を受信する（Ｓ８３０）。本実施形態によるデータ記録モードは、ディスク−アト−ワンスモードである。データ記録命令と共に、ホストから記録するデータ量についての情報が制御部２に入力される。
【００４８】
制御部２は、記録するユーザデータの量によって、光ディスク１０の各記録層のユーザデータ領域のサイズ及び／または位置を決定する（Ｓ８５０）。制御部２は、記録するユーザデータの容量が光ディスク１０に記録可能な全体の記録容量より少ない場合、各記録層に同じユーザデータの容量が記録されるように各記録層のデータ領域のサイズを決定する。
【００４９】
制御部２は、記録するユーザデータの量によって、光ディスク１０の各記録層のユーザデータ領域のサイズ及び／または位置を決定した後、前記各記録層のユーザデータ領域の次に内周から外周方向に連結領域及び残りの領域を割り当てる（Ｓ８７０）。各記録層のデータ領域のサイズが決定されるにつれて、各ユーザデータ領域の内周側境界は決まっているので、外周側境界が自動的に決定される。各記録層のユーザデータ領域の位置が決定されれば、各記録層の外周方向に連結領域及び残りの領域のサイズ及び／または位置が決定される。複数の連結領域及び残りの領域のサイズ及び／または位置は、多様な方式で決定されうる。例えば、連結領域または残りの領域のうち少なくとも一つの領域のサイズが予め決められているならば、連結領域及び残りの領域のサイズ及び／または位置はいずれも決定されうる。前述したように、残りの領域は、テスト領域、未記録領域及び保留領域のうち少なくとも一つの領域を備えうる。
【００５０】
図８に示した本発明による光ディスクの領域割り当て方法によって領域が割り当てられ、データが記録された光ディスクの構造を、図３Ａないし図６Ｂを通じて前述した。
【００５１】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００５２】
これまで、本発明について、その望ましい実施形態を中心に述べた。当業者は、本発明が、本発明の本質的な特性から逸脱しない範囲で、変形された形態に具現可能であるということを理解できるであろう。本発明の範囲は、前述した説明ではなく、特許請求の範囲に表れており、それと同等な範囲内にあるあらゆる差異点は、本発明に含まれていると解釈されねばならない。
【産業上の利用可能性】
【００５３】
本発明は、光ディスク、記録及び／または再生装置関連の技術分野に適用可能である。
【図面の簡単な説明】
【００５４】
【図１Ａ】従来技術による再記録可能な光ディスクの構造の一例を示す図である。
【図１Ｂ】従来技術による再生専用の光ディスクの構造の一例を示す図である。
【図２Ａ】従来技術によるディスク−アト−ワンスモードでデータが記録された二重記録層の光ディスクを示す図である。
【図２Ｂ】従来技術によるディスク−アト−ワンスモードでデータが記録された二重記録層の光ディスクを示す図である。
【図３Ａ】本発明の一実施形態による光ディスクの構造を示す図である。
【図３Ｂ】本発明の一実施形態による光ディスクの構造を示す図である。
【図４】本発明の他の実施形態による光ディスクの構造を示す図である。
【図５】本発明のさらに他の実施形態による光ディスクの構造を示す図である。
【図６Ａ】本発明のさらに他の実施形態による四重記録層を備えた光ディスクの構造を示す図である。
【図６Ｂ】本発明のさらに他の実施形態による四重記録層を備えた光ディスクの構造を示す図である。
【図７】本発明の一実施形態によるデータ記録及び／または再生装置のブロック図である。
【図８】本発明の一実施形態による光ディスクの領域割り当て方法のフローチャートである。
【図１Ａ】
2008503024.tif 000003
【図１Ｂ】
2008503024.tif 000004
【図２Ａ】
2008503024.tif 000005
【図２Ｂ】
2008503024.tif 000006
【図３Ａ】
2008503024.tif 000007
【図３Ｂ】
2008503024.tif 000008
【図４】
2008503024.tif 000009
【図５】
2008503024.tif 000010
【図６Ａ】
2008503024.tif 000011
【図６Ｂ】
2008503024.tif 000012
【図７】
2008503024.tif 000013
【図８】
2008503024.tif 000014
【国際調査報告】
2008503024.tif 000015
2008503024.tif 000016
2008503024.tif 000017